(57)【要約】【課題】天井化粧板の施工が面倒でコスト高となることなく、天井化粧板固定用ビスによる目立ちを極力抑えることのできる天井化粧板固定用ビスおよび天井化粧板の取付構造を提供する。【解決手段】天井化粧板２０を天井下地３０に固定するための天井化粧板固定用ビス１０は、ビス頭部１１にドライバー溝１２が形成され、ビス頭部１１の表面が、天井化粧板２０の地２７の色と濃淡の程度が略同一の色が付された淡色部１５と、天井化粧板２０の模様要素２５と略同一の色が付された濃色部１６とより配色構成されている。【選択図】図１
2019178480.tif 000002
【特許請求の範囲】
【請求項１】
天井化粧板を天井下地に固定するための天井化粧板固定用ビスであって、
前記天井化粧板には、黒系濃色の不定形な模様要素を、該模様要素よりも淡い色の地に点在させてなる表面模様が形成されており、
ビス頭部にはドライバー溝が形成され、該ビス頭部の表面が、前記天井化粧板の地の色と濃淡の程度が略同一の色が付された淡色部と、前記模様要素と略同一の色が付された濃色部とより配色構成されていることを特徴とする天井化粧板固定用ビス。
【請求項２】
請求項１において、
前記濃色部が前記ビス頭部の周縁に接するように形成されていることを特徴とする天井化粧板固定用ビス。
【請求項３】
請求項１または２において、
前記濃色部が前記ドライバー溝に重なるように形成されていることを特徴とする天井化粧板固定用ビス。
【請求項４】
請求項１〜３のいずれか１項において、
前記濃色部が前記ドライバー溝の全体に重なるように形成されていることを特徴とする天井化粧板固定用ビス。
【請求項５】
請求項１〜４のいずれか１項において、
前記ビス頭部の直径は５〜１５ｍｍとされ、前記ドライバー溝の長さが前記ビス頭部の直径の１／２以下であることを特徴とする天井化粧板固定用ビス。
【請求項６】
天井化粧板を天井化粧板固定用ビスで天井下地に固定する天井化粧板の固定構造であって、
前記天井化粧板には、黒系濃色の不定形な模様要素を、該模様要素よりも淡い色の地に点在させてなる表面模様が形成されており、
前記天井化粧板固定用ビスは、ビス頭部にドライバー溝が形成され、該ビス頭部の表面が、前記天井化粧板の地の色と濃淡の程度が略同一の色が付された淡色部と、前記模様要素と略同一の色が付された濃色部とより配色構成されていることを特徴とする天井化粧板の取付構造。
【発明の詳細な説明】
【技術分野】
【０００１】
本発明は、天井化粧板を天井下地に固定するための天井化粧板固定用ビス、および、天井化粧板を天井化粧板固定用ビスで天井下地に固定する天井化粧板固定構造に関する。
【背景技術】
【０００２】
従来より、天井化粧板固定用ビスを用いて天井化粧板を固定する技術において、ビス頭部、特にドライバー溝が室内側に露出することで天井化粧板の意匠性を損ねるという問題があった。不定形な模様要素が点在する、例えばトラバーチン模様の天井化粧板においても、ドライバー溝の十字穴が目立ち、きわめて不自然なものとなっていた。
【０００３】
このような問題を解決するために種々の方法が採られている。例えば特許文献１のものでは、ビス頭部の表面を覆い隠す目隠し用キャップが提案されている。
【先行技術文献】
【特許文献】
【０００４】
【特許文献１】特開２００９−１９１９７９号公報
【発明の概要】
【発明が解決しようとする課題】
【０００５】
しかしながら、上記文献のものでは、いったんビス止めした後でしかキャップ取り付けの作業ができないから、天井化粧板の施工作業がきわめて面倒で時間を要し、施工コストは増大する。また、キャップ部材のコストもかかる。さらに、この方法ではビス頭部の表面が完全に隠れてしまうため、その部分だけ、周囲の模様が存在せず、かえって不自然になるおそれもある。
【０００６】
なお従来では、ドライバー溝を含むビス頭部の表面を、天井の地の色と同じ色（例えば白色）に塗装する方法も採られているが、ドライバー溝の塗装はビス固定作業においてドライバーの挿入先端で削られてしまうため、ドライバー溝内を塗装することの効果はほとんどない。そもそも、ドライバー溝は凹部であるため溝内がたとえ白く塗装されていても溝内は影になり、形状はほぼはっきりと露出する。
【０００７】
本発明は、このような事情を考慮して提案されたもので、その目的は、天井化粧板の施工が面倒でコスト高となることなく、天井化粧板固定用ビスによる目立ちを極力抑えることのできる天井化粧板固定用ビスおよび天井化粧板の取付構造を提供することにある。
【課題を解決するための手段】
【０００８】
上記目的を達成するために、本発明の天井化粧板固定用ビスは、天井化粧板を天井下地に固定するための天井化粧板固定用ビスであって、前記天井化粧板には、黒系濃色の不定形な模様要素を、該模様要素よりも淡い色の地に点在させてなる表面模様が形成されており、ビス頭部にはドライバー溝が形成され、該ビス頭部の表面が、前記天井化粧板の地の色と濃淡の程度が略同一の色が付された淡色部と、前記模様要素と略同一の色が付された濃色部とより配色構成されていることを特徴とする。
【０００９】
また、本発明の天井化粧板の取付構造は、天井化粧板を天井化粧板固定用ビスで天井下地に固定する天井化粧板固定構造であって、前記天井化粧板には、黒系濃色の不定形な模様要素を、該模様要素よりも淡い色の地に点在させてなる表面模様が形成されており、前記天井化粧板固定用ビスは、ビス頭部にドライバー溝が形成され、該ビス頭部の表面が、前記天井化粧板の地の色と濃淡の程度が略同一の色が付された淡色部と、前記模様要素と略同一の色が付された濃色部とより配色構成されていることを特徴とする。
【発明の効果】
【００１０】
本発明の天井化粧板の取付構造は上述した構成とされているため、天井化粧板の施工が面倒でコスト高となることはなく、天井化粧板固定用ビスによる目立ちを極力抑えることができる。
【００１１】
また本発明の天井化粧板の取付構造は上述した構成とされているため、同様に、天井化粧板の施工が面倒でコスト高となることはなく、天井化粧板固定用ビスによる目立ちを極力抑えることができる。
【図面の簡単な説明】
【００１２】
【図１】（ａ）は本発明の一実施形態に係る天井化粧板固定用ビスを用いた天井面の正面図、（ｂ）は同ビスのビス頭部の表面の拡大図である。
【図２】（ａ）（ｂ）は、同ビスの２例の固定態様を示す、天井化粧板の取付構造の部分縦断面図、（ｃ）は天井化粧板の例を示す拡大縦断面図である。
【図３】（ａ）〜（ｄ）は、同ビス頭部の表面模様の４例を示す図である。
【発明を実施するための形態】
【００１３】
以下に、本発明の実施の形態について、添付図面にもとづいて説明する。まず、本発明の天井化粧板固定用ビスの一実施形態の概略基本構成について説明する。
【００１４】
本天井化粧板固定用ビス１０（以下、「ビス１０」と略す）は、天井化粧板２０を天井下地３０に固定するための固定具である。すなわち、本天井化粧板の固定構造は、天井化粧板２０をビス１０で天井下地３０に固定する構造とされる。
【００１５】
本実施形態では、天井化粧板２０には、図１（ａ）に示すように、黒系濃色の不定形な模様要素２６を、模様要素２６よりも淡い色の地２７に点在させてなる表面模様２５が形成されている。また、ビス頭部１１にはドライバー溝１２が形成され、ビス頭部１１の表面が、天井化粧板２０の地２７の色と濃淡の程度が略同一の色が付された淡色部１５と、模様要素２６と略同一の色が付された濃色部１６とより配色構成されている。
【００１６】
ようするに、図１（ａ）に示すように、ビス頭部１１の淡色部１５は天井化粧板２０の地２７の色とほぼ同じであり、ビス頭部１１の濃色部１６は天井化粧板２０の模様要素２６の色とほぼ同じである。
【００１７】
ここで、天井化粧板２０の地２７の色は白色などの淡色とされ、模様要素２６の色は黒色などの濃色とされるが、それらの関係は相対的なものであり、淡色がグレーで、濃色がそれよりも濃いグレーという関係であってもよい。また、黒以外の色が加味されたものであってもよい。
【００１８】
ついで、本実施形態を詳細に説明する。
【００１９】
具体的には、天井化粧板２０の表面模様２５としては、例えばトラバーチン模様やそれに類似のものが挙げられる。その模様要素２６は凹みや穴の影により黒系濃色となるものに限られず、塗装や印刷により形成されたものであってもよい。ようするに、地２７に模様要素２６が点在された表面模様２５の全体が印刷されたものであってもよいし、天井化粧板２０の素材表面を地２７とし、そこに模様要素２６が点在されるように印刷されたものであってもよい。
【００２０】
また、図１（ａ）に例示した模様要素２６は、不定形でかつ種々の大きさであり、それらが不規則に点在しているが、表面模様２５としては、異なる形状、大きさの複数の模様要素２６の組み合わせが、繰り返し模様のように表れたものであってもよい。
【００２１】
一方、ビス頭部１１の表面は、天井化粧板２０の模様要素２６の色におおむね合致させた濃色部１６と、天井化粧板２０の地２７の色におおむね合致させた淡色部１５とで構成されている。
【００２２】
表面模様２５とビス頭部１１の表面との色の合致は、おおむねの合致であればよい。特に模様要素２６は多数点在し濃淡の差が生じやすいため、濃色部１６としては、多数の模様要素２６の平均的な濃度の黒系濃色を色付けするようにしてもよい。また、濃色部１６はドライバー溝１２を目立ちにくくするために付加されたものであるため、ドライバー溝１２の影の濃淡の程度に合わせるようにしてもよい。淡色部１５については、天井化粧板２０の地２７の色に合わせて塗装して色付けすればよい。
【００２３】
なお、図１（ａ）（ｂ）では、天井化粧板２０の模様要素２６、および、ビス１０のドライバー溝１２と濃色部１６には、統一した濃度の黒色を付してあるが、上述したように、もちろんこれには限られない。
【００２４】
また、ビス頭部１１には、まずビス頭部１１の表面全体に淡色部１５としての色で塗装し、その後、部分的に濃色部１６を上塗りすることで配色形成してもよいし、ビス頭部１１の円形に合わせて、その全体に合わせた図柄を印刷することで配色形成してもよい。
【００２５】
このようなビス１０を用いて天井化粧板２０を固定すれば、図１（ａ）に示すように、ビス頭部１１やドライバー溝１２はあまり目立たず、天井化粧板２０の意匠性が損なわれる可能性は低い。なお、図１（ａ）では、ビス頭部１１を周囲と区別するために便宜的にビス頭部１１の円形の輪郭（周縁１３）を図示したが、ビス頭部１１の淡色部１５を天井化粧板２０の地２７の色に合わせれば、実際には周縁１３は見えにくく、ビス頭部１１の輪郭により意匠性が低下するおそれはほとんどない。
【００２６】
また、ビス頭部１１には施工前に工場等で上記のような配色で色付けしておけばよい。そのため、施工現場ではビス１０による固定作業の他に特別な作業を行う必要がなく、従来と同様の作業を行うことができる。よって施工作業は面倒なものとはならず、施工コストが増大するようなおそれはほとんどない。また、ビス頭部１１を隠す部材を用いる必要もない。
【００２７】
ビス１０としては、図１（ｂ）に示すように、ドライバー溝１２としては目立ちにくさの観点から、十字穴で形成されたものが好適に使用される。また図１（ｂ）の例のように、その十字穴を構成する横溝１２ａと縦溝１２ｂの長さが略同じで、かつその長さＬ１がビス頭部１１の直径Ｌ２の１／２以下となっているものを用いることが、目立ちにくさの観点からは望ましい。
【００２８】
また、ビス頭部１１の直径Ｌ２は、模様要素２６とドライバー溝１２との寸法関係や、模様要素２６とビス頭部１１の輪郭（周縁１３）との寸法関係を考慮して種々の寸法に決定されればよい。一般的なトラバーチン模様を考慮すれば、ビス頭部１１の直径Ｌ２を５〜１５ｍｍとすることが望ましく、６〜１２ｍｍとすることがさらに望ましい。
【００２９】
図２（ａ）（ｂ）は、ビス１０の固定態様の２例を示した部分縦断面図である。本図例では、天井下地３０は金属製で溝形や筒形に形成されており、ビス１０はそのねじ部１８が溝形材等の基板部３１に止着される固定構造とされている。なお、ビス１０を固定する天井下地３０は、金属製のものとしては鋼製天井下地や、軽鉄材を用いたいわゆる軽天下地が採用され得る。天井下地３０としては、もちろん木造天井下地でもよい。
【００３０】
また、図２の例のものは、天井化粧板２０として、発泡樹脂を基材として含んだものが用いられている。すなわち、本図例の天井化粧板２０は、図２（ｃ）に示すように、発泡樹脂層２１の上下にガラス繊維で形成されたガラスクロス層２３、２２を配し、室内面側のガラスクロス層２２の下側層として化粧紙層２４を配した層構成とされている。
【００３１】
化粧紙層２４としてはガラスペーパーが好適に使用され、そのガラスペーパーの表面（室内に向く面）には、塗料で表面模様２５（図１（ａ）参照）が印刷されている。印刷塗料としては、炭酸カルシウムや酸化チタンにバインダーを含んだ黒色顔料が好適に用いられる。
【００３２】
ビス１０は、このような天井化粧板２０を貫通し、その上側の天井下地３０の基板部３１で止着、固定される。
【００３３】
本図例のような天井化粧板２０、天井下地３０を用いる場合、ビス頭部１１の形状がフラット形状（図２（ａ）参照）や、皿形状（図２（ｂ）参照）のビス１０を用いることが望ましい。
【００３４】
フラット形状のビス頭部１１を用いる場合、天井化粧板２０の表面よりも下側に突出し影ができるが、厚みが１〜１．５ｍｍ程度のものであればビス頭部１１による影は小さくて目立たず、ほとんど問題はない。特に、図１（ｂ）のように周縁１３に接するような濃色部１６があれば、影による目立ちを軽減できる。皿形状のビス頭部１１を用いる場合、ビス等部１１のほとんどが天井化粧板２０に埋め込まれるため、もちろん問題はない。
【００３５】
以上のような止着構造であるから、ねじ部１８を天井下地３０で保持させるためには、図２（ａ）では、首下部１７の長さが天井化粧板２０の厚みと略同じか、やや短いビス１０が好適に使用される。また図２（ｂ）では。皿高さと首下部１７の長さが、天井化粧板２０の厚みと略同じか、やや短いビス１０が好適に使用される。
【００３６】
また、首下部１７の径は、本図例のような金属溝形下地の場合、４〜１４ｍｍ（好ましくは５〜８ｍｍ）であることが望ましい。また、ねじ部１８が２条ねじで構成されたビス１０が好適に使用され、そのねじ部１８の長さは３〜１３ｍｍであることが望ましい。
【００３７】
図２には、天井化粧板２０として発泡樹脂を基材としたものを例示したが、これには限られず、石膏ボードなど、種々のものが用いられてもよいことは言うまでもない。また、表面模様２５は、印刷によるものに限られず、凹みや穴の影により模様要素２６が形成されたものであってもよい。
【００３８】
ついで、ビス頭部１１の配色構成例について、図３（ａ）〜（ｄ）を参照して説明する。なお、これらの図では、濃色部１６とドライバー溝１２とを区別するために、濃色部１６には便宜的にクロスハッチング柄を付した。
【００３９】
図３（ａ）のビス頭部１１は、天井化粧板２０の模様要素２６と略同じ寸法の不定形の複数の濃色部１６が、ドライバー溝１２、周縁１３のいずれにも接触しないように、表面の地（淡色部１５）に点在するように形成された図柄とされる。
【００４０】
図３（ｂ）のビス頭部１１は、天井化粧板２０の模様要素２６と略同じ寸法の不定形の複数の濃色部１６が、ドライバー溝１２に接触せず、かつ周縁１３に接するように形成された図柄とされる。
【００４１】
図３（ｃ）のビス頭部１１は、天井化粧板２０の模様要素２６と略同じ寸法の不定形の１つの濃色部１６が、周縁１３に接触せず、かつドライバー溝１２の一部に重なるように形成された図柄とされる。
【００４２】
図３（ｄ）のビス頭部１１は、天井化粧板２０の模様要素２６と略同じ寸法の不定形の１つの濃色部１６が、ドライバー溝１２の全体に重なり、かつ周縁１３に接するように形成された図柄とされる。
【００４３】
濃色部１６が周縁１３に接する図柄（図３（ｂ）（ｄ）参照）によれば、円形の周縁１３をより目立たなくすることができる。また、濃色部１６がドライバー溝１２に重なる図柄（図３（ｃ）（ｄ）参照）によれば、ドライバー溝１２を目立たなくすることができ、十字穴の露出による不自然さを解消することができる。ようするに、これらの図例によれば、ビス頭部１１の表面を、天井化粧板２０の表面模様２５に溶け込ませることができる。
【００４４】
ビス頭部１１表面の配色構成、図柄としては、図３の４例にはもちろん限らず、淡色部１５と濃色部１６との種々の組み合わせにより構成されたものが採用され得ることは言うまでもない。
【符号の説明】
【００４５】
１０          天井化粧板固定用ビス
１１          ビス頭部
１２          ドライバー溝
１３          周縁
１５          淡色部
１６          濃色部
２０          天井化粧板
２５          表面模様
２６          模様要素
２７          地
３０          天井下地
【図１】
2019178480.tif 000003
【図２】
2019178480.tif 000004
【図３】
2019178480.tif 000005